(57)【特許請求の範囲】
【請求項１】
在宅で使用され得る携帯型の輸液ポンプであって、
携帯用電池を駆動電源とし、薬液を所定の流量で送液する構成であり、
電池収容部と、該電池収納部を開閉自在にする蓋体とを備え、
該電池収容部は、
該輸液ポンプ本体を構成する下側ケースに設けられ、かつ、電池を載置する凹状の電池受け部を備え、
かつ、前記凹状の電池収容部内には、複数の電池が収容される構成であり、該電池収容部の底面には、収容される前記複数の各電池の境界位置において、各電池が横ずれしないようにするための低い壁部が形成されており、
さらに、前記電池受け部の一端に前記電池の長さ方向に沿って傾斜する傾斜部を設けた
ことを特徴とする輸液ポンプ。
【請求項２】
前記傾斜部は、前記電池収容部の前記一端において、前記電池の端部に向かって徐々に深くなるように形成した傾斜面でなることを特徴とする請求項１に記載の輸液ポンプ。
【請求項３】
前記電池収容部は、前記電池として複数の単三電池が収容されるようになっており、前記傾斜部は、前記底面に対して、８ないし１２度で傾斜しており、かつ前記傾斜部の傾斜方向の長さが１２ないし１８ｍｍとされていることを特徴とする請求項２に記載の輸液ポンプ。
【発明の詳細な説明】
【技術分野】
【０００１】
本発明は、体内に薬液を注入するための輸液ポンプに係り、詳しくは、通常は電池を駆動電源とする携帯型輸液ポンプの改良に関するものである。
【背景技術】
【０００２】
患者に対して、時間当たり薬液を決められた量だけ長時間かけて注入する輸液ポンプは広く使用されている。
このような輸液ポンプのうち、例えば、医療機関だけでなく、在宅でも使用できるようにコンパクトに形成したものが知られている（特許文献１参照）。
特許文献１の輸液ポンプは、ローラポンプによる蠕動運動で、輸液チューブから薬液を所定の流速（ｍＬ／ｈ）で注液を行なうようになっている。
【先行技術文献】
【特許文献】
【０００３】
【特許文献１】特表平１１−５０６３５５号公報
【発明の概要】
【発明が解決しようとする課題】
【０００４】
ところで、特許文献１の装置では、回転ローラを駆動する電源として、乾電池を使用しており、装置筐体の裏側に開閉自在の蓋体を設け、該蓋体を開いて乾電池を取り替えることができるようにされているが、乾電池交換に際して、乾電池が取り外しやすくなるような工夫はなされていない。
【０００５】
本発明は上記課題を解消するためになされたものであり、電源としての電池の交換に際して、電圧が低下して交換が必要になった乾電池を容易に取り外すことができるようにした携帯型輸液ポンプを提供することを目的とする。
【課題を解決するための手段】
【０００６】
本発明の輸液ポンプは、在宅で使用され得る携帯型の輸液ポンプであって、携帯用電池を駆動電源とし、薬液を所定の流量で送液する構成であり、電池収容部と、該電池収納部を開閉自在にする蓋体とを備え、該電池収容部は、該輸液ポンプ本体を構成する下側ケースに設けられ、かつ、電池を載置する凹状の電池受け部を備え、かつ、前記凹状の電池収容部内には、複数の電池が収容される構成であり、該電池収容部の底面には、収容される前記複数の各電池の境界位置において、各電池が横ずれしないようにするための低い壁部が形成されており、さらに、前記電池受け部の一端に前記電池の長さ方向に沿って傾斜する傾斜部を設けたことを特徴とする。
【０００７】
好ましくは、前記傾斜部は、前記電池収容部の前記一端において、前記電池の端部に向かって徐々に深くなるように形成した傾斜面でなることを特徴とする。
【０００８】
上記構成によれば、電池収容部に収容されている交換が必要になった乾電池は、押されると、前記傾斜面に押しつけられるので、全体が該傾斜面に沿って傾くので、より確実に電池収容部から露出させることができる。
【発明の効果】
【０００９】
本発明によれば、電源としての乾電池の交換に際して、乾電池を容易に取り外すことができるようにした携帯型輸液ポンプを提供することができる。
【図面の簡単な説明】
【００１０】
【図１】本発明の携帯型輸液ポンプの好ましい実施形態を示す概略斜視図である。
【図２】図１の携帯型輸液ポンプのカセット収納部のカバーを開いた様子を示す概略正面図である。
【図３】図１の携帯型輸液ポンプのカセット収納部のカバーを開いて、カセットを収容する様子を示す概略斜視図である。
【図４】図１の携帯型輸液ポンプの底面図である。
【図５】図４のＡ−Ａ線概略断面図である。
【図６】図４のＢ−Ｂ線概略断面図である。
【図７】図１の携帯型輸液ポンプの電池収容部の蓋体を開いた状態を上から示す拡大斜視図である。
【図８】図１の携帯型輸液ポンプの電池収容部の蓋体を開いて、中の乾電池を押すことで乾電池が露出した状態を示す拡大斜視図である。
【図９】図１の携帯型輸液ポンプの電池収容部の蓋体を開いて、中の乾電池を押すことで乾電池が露出した状態を示す拡大断面図である。
【発明を実施するための形態】
【００１１】
以下に、本発明の好ましい実施形態を、図面を参照して詳しく説明する。
図１は、本発明の携帯型輸液ポンプのカセット収納部のカバー（透明）を閉じた概略斜視図であり、図２はそのカセット収納部のカバーを開いた状態を示す概略正面図、図３は携帯型輸液ポンプのカセット収納部のカバーを開き、カセットを収納した状態を示す概略斜視図である。
これらの図において、携帯型輸液ポンプ１０は、例えば、略矩形の筐体としての本体１１を有している。本体１１は、携帯型輸液ポンプの構成物のケースであり、好ましくは、耐薬品性、耐衝撃性を有する熱可塑性合成樹脂、例えば、ハイインパクトスチロール、やＡＢＳ樹脂で形成されている。幅８０ｍｍ，高さ１３０ｍｍ，厚さ３３ｍｍの大きさで、電池を内蔵した状態で３４０ｇの重さとなっている。
【００１２】
本体１１の上面側のほぼ半分程度の面積を閉めるように、開閉可能なカバー１２を有しており、該カバー１２をヒンジ１３を中心として回動可能として開閉できるようにされている。このカバー１２は、図示しない付勢手段、例えば、ヒンジ１３の軸周りにトーションコイル等を配設することにより常時開方向に付勢されている。カバー１２を閉じて押し込むことにより、本体１１側の図示しないラッチ等に係合されるようになっており、本体１１の側部外縁に突出する解除ボタン１６，１６矢印方向に手指にて押し込むことにより該ラッチ等が解除されるようになっている。
符号１７は操作スイッチであり、図１において横方向にスライドさせることで、「停止（左側）―開始(右側)」の操作をすることができる。符号１８は液晶等で形成した表示部であり、運転状態（開始，停止，設定流量ｍＬ／ｈ）），アイコンでの電池残量，アラームの内容，操作案内等を表示するようになっている。これらの他、図示しないモード選択スイッチ等を備えることができる。操作スイッチ１７が開始位置側にある時は、カバー１２が閉じた状態でロックされた状態となり、カバー１２のロック機能としても作用する。
【００１３】
カバー１２を開くと図２、図３に示すように、カセット収納部１５が露出するようになっている。カセット収納部１２は、本体１１の厚みの約半分程度の寸法で形成された空間であり、この空間であるカセット収納部１５には、輸液チューブ２１を引きこみ、かつ、導出するためのカセット２０をセットすることができるようになっている。
【００１４】
図２、図３において、本体１１には、本体１１内に収容される図示しない駆動部としてのモータが設けられている。このモータの出力軸からの駆動力が、図示しないかさ歯車等を介して伝達されることにより、回転駆動される輸液送り部としてのローラポンプのローラヘッド３１が、水平回転するように配置されている。このローラヘッド３１の外周には、例えば、４か所以上のチューブ押圧部が設けられており、ローラヘッド３１の矢印方向の回転により、順次輸液チューブ２１を押圧して、蠕動運動を付与することができる。この蠕動運動により、８０ｍＬ／ｈで２４時間以上の輸液が可能となっている。
図２においてこのローラヘッド３１の上方には第１のスライダ３２と、該第１のスライダ３２に隣接して第２のスライダ３３が配置されている。これらはそれぞれ係止片を備えており、これら係止片は、付勢手段により常時矢印Ｃ方向に付勢されており、後述するカセット２０がセットされる際に矢印Ｄ方向に移動されて、カセット２０を保持するとともに、該カセットに内蔵された可撓性の輸液チューブ２１をローラヘッド３１に対して押圧することができる。
図２において、第２のスライダの右方には下側には、傾斜面３４ａを備える規制部３４と、該規制部３４の下方には水平面から突出する突起部３５とが設けられている。
【００１５】
図３を参照して、カセット２０を説明する。
カセット２０は、合成樹脂で形成された図示のような横長のケース体であり、該ケースの外縁に沿って矢印Ｆ方向から導入され、カセット２０の右端部でほぼＵ字状の曲折されて矢印Ｅ方向に導出されている輸液チューブ（可撓性チューブ）２１を収容するものである。該輸液チューブ２１に対しては、薬液が外部から矢印Ｆ方向に導入され、矢印Ｅ方向に導出され、該矢印Ｅ方向の延長には、接続された留置針などにより患者に輸液されるものである。
なお、カバー１２には切欠き部１９が設けられており、該切欠き部１９から輸液チューブ２１が導出されるようになっている。
また、カセット２０の下部の一端よりには露出部２４が形成されており、該露出部２３はケースの一部を切欠き、輸液チューブ２１の一部を外部に露出させている。この輸液チューブ２１の露出部にローラヘッド３１が押圧されることで、上述したように蠕動運動が付与されるようになっている。
【００１６】
カセット２０は、横に並んで可動部材２２ａに設けられた係合用スリット２２，カセット２０に設けられた係合用スリット２３が設けられており、これら係合用スリット２２，係合用スリット２３はカセット２０のケース体を貫通している。可動部材２２ａのローラヘッド３１と対向する位置の形状は、ほぼ円弧状形状部２２ｂとなっている。係合用スリット２２，２３には、図２で説明した第１のスライダ３２と第２のスライダ３３がそれぞれ入り込むようになっていて、カセット２０を所定位置に容易にセットできるようになっている。そして、カバー１２を矢印Ｄ方向に閉じた際には、ヒンジ１３よりも該カバー１２の内側に設けられた当接部１４がカセット２０を押すことにより該カセット２０が矢印Ｄ方向に移動され、各係合用スリット２２，２３に入り込んだ第１のスライダ３２と第２のスライダ３３の付勢方向（図２の矢印Ｃ方向）に働く付勢力に抗して各スライダを矢印Ｄ方向に移動させる。これにより、カセット２０はカバー１２を閉止した状態においては、カバー１２の押圧部１４と各スライダに挟まれて固定されるとともに、可動部材２２ａがローラヘッド３１側に移動することで、ローラヘッド３１と対向する位置で、可動部材２２ａの円弧状形状部２２ｂとローラヘッド３１とが共働して輸液チューブ２１を押圧する。
【００１７】
さらにカセット２０は、縦２５ａ及び横２５ｂに沿って、逆Ｌ字状に規制用スリット２５が形成されている。縦スリット２５ａにはストッパ２６が収容されており、その先端の当接部は付勢手段２６ａにより矢印Ｃ方向に常時押圧されており、カット内の図示しない箇所で、輸液チューブ２１の一部を押しつぶして輸液の流れを止めている。
図３のように、カセット２０を収納してカバー１２を閉じると、カセット２０の横スリット２５ｂには図２で説明した規制部３４が入り込むようになっている。
ここで、規制部３４の傾斜面３４ａは図に置いて、下方に向かって徐々に外方に向かう傾斜段部となっていることから、図３において、ストッパ２６の先端当接部が規制部３４の傾斜面３４ａに当接すると、矢印Ｄ方向に押し込まれる。これにより、ストッパ２６による輸液の流れ止めは解除されるので、チューブ２１は輸液を導入でき、ローラ３１の動きにより送液できるようにされる。
【００１８】
図４は、本体１１の裏面４０を示しており、図５は図４のＡ−Ａ線断面図、図６は図４のＢ−Ｂ線断面図である。
これらの図において、符号４０は輸液ポンプの裏面側を示しており、本体１１の下側ケースである。
裏面側４０の端部よりには、駆動電源としての乾電池を収容するためその底面の一部または略全体が凹状の電池受け部を設けた電池収容部４１が形成されている。本実施形態では、電池収容部４１は、例えば、単三形乾電池２本を並列的に並べて収容できる容積を有しており、図５の蓋体４２を開閉して乾電池の着脱を行うことができるようになっている。電池収容部４１の外周に沿って、図４に示すように、シール手段４１ａが形成されている。なお、単三形乾電池は、繰返し充電可能な充電式乾電池やアルカリ乾電池が用いられる。
【００１９】
このシール手段４１ａは合成樹脂などでなるゴムパッキン等で形成されている。
図５に示すように、蓋体４２は、支軸４２ａを中心として、矢印Ｇ方向に回動されて閉止され、矢印Ｈ方向に回動されて開放されるようになっている。この蓋体４２は、本体１１のひとつの側面４５に９０度折り返して回り込んだ折り返し部４２ｂを備えており、該折り返し部４２ｂには、後述するスライド操作部を取り付けるためのスリットを形成してスライド操作部の取付け部４２ｃとしている。蓋体４２を閉止した際には、シール手段４１ａにより電池収容部４１は完全に密閉される。
【００２０】
図６に示すように、電池収容部４２の底部４３は、取出しガイド部としての凹所として、乾電池Ｂの長手方向の一端部が傾斜面４４とされている。傾斜面４４は、乾電池Ｂの端部に向かう程徐々に深さが増す傾斜面とされている。この傾斜面４４は、本体１１の底面に対して、８〜１２度で傾斜していて、好ましくは、１０度で傾斜し、その長さは、１２〜１８ｍｍ、好ましく１５ｍｍである。傾斜面４４の傾斜角度が１２度より大きいと乾電池Ｂを押した時に本体１１からの乾電池Ｂが飛出しやすくなり、８度より小さいと乾電池Ｂを押した時に本体１１からの乾電池Ｂが殆ど飛び出さない。また、長さが１８ｍｍより大きいと、乾電池Ｂを押した時に本体１１からの乾電池Ｂが殆ど飛び出さず、長さが１２ｍｍより小さいと、乾電池Ｂを押した時に本体１１からの乾電池が飛出しやすくなる。これにより、収容した乾電池Ｂの一端部（（−）端子側）またはマーカーが記された位置を矢印Ｉの方向にゆっくりと押すと、乾電池Ｂの反対の端部が鎖線に示すように浮き上がり、乾電池Ｂを取り出しやすくなっている。また、傾斜面４４は、電池の外形に合わせた形で凹部を形成している。
【００２１】
以下、図７ないし図９を参照して乾電池Ｂの取出しガイド部について詳しく説明する。
図７は、本体１１を裏側から表しており、蓋体４２のスライド部材５１を移動させてロックを解除し、蓋体４２を開いた状態を上から見たが拡大斜視図、図８は、図１の輸液ポンプの電池収容部の蓋体を開いて、中の乾電池を押すことで乾電池が露出した状態を示す拡大斜視図、図９は図１の輸液ポンプの電池収容部の蓋体４２を開いて、中の乾電池を押すことで乾電池が露出した状態を示す拡大断面図である。
【００２２】
図６に示すように、蓋体４２の折り返し部４２ｂには、長手方向に沿ってスライドするスライド部材５１が装着されることにより、スライド操作部が設けられており、そのスライド部材５１を操作して開蓋すると、電池収容部４１が露出する。スライド部材５１は全体として扁平な長尺の板状部材であり、表側には複数の突起を形成した滑り止部（不図示）が形成され、裏側には、係合用の突起類が形成されている。スライド部材５１は、繰返し使用に耐えるように、好ましくは、ＰＯＭ（ポリオキシメチレン；ｐｏｌｙｏｘｙｍｅｔｈｙｌｅｎｅ），一般的にはポリアセタール、アセタール樹脂（ａｃｅｔａｌ  ｒｅｓｉｎ）と呼ばれる、主として（−ＣＨ２Ｏ−）の構造単位からなる結晶性の熱可塑性樹脂で形成されている。スライド部材５１は、好ましくはｐＰＯＭのうち、ホルムアルデヒドの三量体であるトリオキサンにエチレンオキサイドを結合してつくられたコポリマーで形成される。上述のように、電池収容部４１の一部には、凹所としての傾斜面４４，４４が形成されている。
【００２３】
具体的には、図７において、電池収容部４１の奥側に想到する該電池収容部４１の底面には、取出しガイド部として、二つの傾斜面４４が形成されている。すなわち、傾斜面４４，４４は、電池収容部４１の底面をさらに凹状にして形成されたものであり、細長い乾電池Ｂ（図６参照）の一方の端部寄りに形成されている。
本実施形態では、乾電池Ｂの一本毎に同一構成の一つの傾斜面４４をそれぞれ形成するようにしている。この傾斜面４４は、図６に示すように、該一端部（（−）端子側）に向かって徐々に深さを増すようにして設けた傾斜面である。
なお、図６ないし図９では、簡略化のため、本体１１側の電極端子等の細部の構成の図示は省略している。
【００２４】
このような構成でなる取出しガイド部の作用を説明する。
蓋体４２を開き、図６で説明したように、矢印Ｉの方向に乾電池Ｂを押しこむと、図８に示すように、押しこまれた乾電池Ｂの押しこまれなかった端部が上方に浮き上がり、電池収容部４１から露出する。
これにより、この乾電池Ｂの露出部分をつかんで取り出すことにより、古くなった乾電池を容易に取り外すことができる。
【００２５】
特にこの実施形態では、乾電池の取出しガイド部は、電池収容部４１に収容される乾電池Ｂの長手方向の一端部寄りに形成されている。
このため、図６で示したように、上述のように、電池収容部４１に収容されている乾電池Ｂの一端部側（矢印Ｉの箇所参照）またはマーカーが記された位置をゆっくりと押しこむだけで、乾電池Ｂの他端部側が起き上がるので、乾電池を容易に把持することができる。
【００２６】
しかも、乾電池Ｂの取出しガイド部は、電池収容部４１底面において、乾電池Ｂの長手方向の一端部側で、当該端部に向かって切欠部を設けることなく連続的に徐々に深くなるように形成した傾斜面４４とされている（図９参照）。このことから、電池収容部４１に収容されている乾電池Ｂは、押されると、傾斜面４４に押しつけられるので、全体が該傾斜面４４に沿って傾くので、より確実に電池収容部から露出させることができる。
【００２７】
ところで、本発明は上記実施形態に限定されない。
電池収容部４１は本体１１裏面に露出せず側面に露出してもよく、その場合、蓋体の形状は本実施形態とは異なる形態とすることができるが、本実施形態と同様に係合構造を際湯御することができる。
輸液ポンプのカバーの構成やカセットの着脱構造は、上記実施形態の構成に限定されず、種々の形態が採用され得る。
例えば、カセット２０に設けたストッパ２６は、これを本体１１側に設けて、外部に露出させ、カセットを装着した際に、カセット内に入り込んで、チューブを押圧する構成にする等種々の改変が可能である。
電池収容部に形成される取出しガイド部としての凹所は、図示のような傾斜面に限らず、傾斜していない凹所でもよいし、湾曲して凹んだ形態であってもよい。
また、ＡＣアダプタ用のジヤックを設けて、ＡＣ電源の使用も可能とすることができる。
【符号の説明】
【００２８】
１０・・・輸液ポンプ、１１・・・本体、１２・・・カバー、２０・・・カセット、２１・・・輸液チューブ、３１・・・ローラ、４１・・・電池収容部、４２・・・蓋体、４４・・・傾斜面（取出しガイド部）５０・・・スライド操作部、５１・・・スライド部材
【図１】
0005571372.tif 000002
【図２】
0005571372.tif 000003
【図３】
0005571372.tif 000004
【図４】
0005571372.tif 000005
【図５】
0005571372.tif 000006
【図６】
0005571372.tif 000007
【図７】
0005571372.tif 000008
【図８】
0005571372.tif 000009
【図９】
0005571372.tif 000010